(57)【要約】【課題】部品点数を増やしたり、複雑な構造にすることなく、ブースターケーブルのクリップを救援端子から外れ難くする又はクリップを倒れ難くすることができるとともに、クリップを脱着する際などに外力が加わった場合に救援端子が倒れてしまうことを防止できる電気接続箱を提供する。【解決手段】電気接続箱１は、救援端子４と、救援端子４に重ねられる端子支持部５と、ブースターケーブルＢを接続しないときに救援端子４及び端子支持部５を覆う端子カバー６と、を備える。端子支持部５には、救援端子４と重ねられる面から救援端子４を超えて突出した突出部５１が設けられ、突出部５１には、突出した先端において救援端子４側に屈曲した屈曲部５１ａが設けられている。突出部５１は、救援端子４がブースターケーブルＢのクリップＣに狭持されたときに、クリップＣに引っ掛かる。屈曲部５１ａは、救援端子４の上端部を抱え込むようにして救援端子４を保持する。【選択図】図３
2015177668.tif 000002
【特許請求の範囲】
【請求項１】
ブースターケーブルのクリップに狭持される救援端子と、前記救援端子に重ねられ、前記救援端子とともに前記クリップに狭持される端子支持部と、を備える電気接続箱であって、
前記端子支持部には、前記救援端子と重ねられる面から前記救援端子を超えて突出し、かつ、前記クリップが前記救援端子を狭持する際に引っ掛かるように設けられた突出部が形成され、
前記突出部には、前記救援端子を保持するための端子保持部が設けられている
ことを特徴とする電気接続箱。
【請求項２】
前記突出部が、突出した先端において、前記救援端子側に屈曲した屈曲部を有し、
前記屈曲部が前記端子保持部である
ことを特徴とする請求項１に記載の電気接続箱。
【請求項３】
前記突出部が前記救援端子を挿通可能な挿通孔を有し、
前記挿通孔が前記端子保持部である
ことを特徴とする請求項１に記載の電気接続箱。
【発明の詳細な説明】
【技術分野】
【０００１】
本発明は、ブースターケーブルのクリップに狭持されることにより電気的に接続される救援端子を備える電気接続箱に関するものである。
【背景技術】
【０００２】
従来より、自動車のバッテリが上がった際などに、ブースターケーブルのクリップに狭持されて、救援車のバッテリと接続される救援端子がある。この救援端子を備える電気接続箱は、一般的に、救援端子と、当該救援端子を支持する端子支持部と、を備えて構成されている。
【０００３】
上述した電気接続箱においては、ブースターケーブルのクリップが救援端子を狭持した状態で、外力が加わること又はクリップが自重で倒れることにより、クリップが救援端子から外れることがあるという問題があった。このことから、ブースターケーブルのクリップを外れ難くする又はクリップを倒れ難くするための構造が設けられた電気接続箱が種々提案されている（例えば、特許文献１参照。）。
【０００４】
特許文献１に記載の電気接続箱は、救援端子と、一方の面に救援端子が重ねられる端子支持板と、端子支持板の他方の面に設けられた複数の細長のリブと、を備えて構成されている。ブースターケーブルのクリップを救援端子に接続する際には、救援端子及びリブがクリップに狭持されることにより、クリップがリブに食い込んで、救援端子からクリップが外れることを防止することができる。
【先行技術文献】
【特許文献】
【０００５】
【特許文献１】特開２００９−２５２４５３号公報
【発明の概要】
【発明が解決しようとする課題】
【０００６】
しかしながら、特許文献１に開示された電気接続箱においては、ブースターケーブルのクリップが救援端子から外れ難くする又はクリップを倒れ難くする構造は設けられているが、クリップに対して予期せぬ外力が加わることにより、クリップに狭持された救援端子が倒れてしまうことがあるという問題があった。
【０００７】
従って、本発明は、上記のような問題点に着目し、部品点数を増やしたり、複雑な構造にすることなく、ブースターケーブルのクリップを救援端子から外れ難くする又はクリップを倒れ難くすることができるとともに、クリップを脱着する際などに外力が加わった場合に救援端子が倒れてしまうことを防止できる電気接続箱を提供することを目的とする。
【課題を解決するための手段】
【０００８】
請求項１に記載された発明は、ブースターケーブルのクリップに狭持される救援端子と、前記救援端子に重ねられ、前記救援端子とともに前記クリップに狭持される端子支持部と、を備える電気接続箱であって、前記端子支持部には、前記救援端子と重ねられる面から前記救援端子を超えて突出し、かつ、前記クリップが前記救援端子を狭持する際に引っ掛かるように設けられた突出部が形成され、前記突出部には、前記救援端子を保持するための端子保持部が設けられていることを特徴とする電気接続箱である。
【０００９】
請求項２に記載された発明は、請求項１に記載された発明において、前記突出部が、突出した先端において、前記救援端子側に屈曲した屈曲部を有し、前記屈曲部が前記端子保持部であることを特徴とするものである。
【００１０】
請求項３に記載された発明は、請求項１に記載された発明において、前記突出部が前記救援端子を挿通可能な挿通孔を有し、前記挿通孔が前記端子保持部であることを特徴とするものである。
【発明の効果】
【００１１】
請求項１に記載の発明によれば、ブースターケーブルのクリップに狭持される救援端子と、前記救援端子に重ねられ、前記救援端子とともに前記クリップに狭持される端子支持部と、を備える電気接続箱であって、前記端子支持部には、前記救援端子と重ねられる面から前記救援端子を超えて突出し、かつ、前記クリップが前記救援端子を狭持する際に引っ掛かるように設けられた突出部が形成され、前記突出部には、前記救援端子を保持するための端子保持部が設けられている。この構造により、クリップが救援端子を狭持するときに、クリップが突出部に引っ掛かるため、部品点数を増やしたり、複雑な構造にすることなく、簡易な構造により、ブースターケーブルのクリップを救援端子から外れ難くする又はクリップを倒れ難くすることができる。また、救援端子を保持するための端子保持部が設けられていることから、クリップを脱着する際などに外力が加わった場合に救援端子が倒れてしまうことを防止できる。
【００１２】
請求項２に記載した発明によれば、前記突出部が、突出した先端において、前記救援端子側に屈曲した屈曲部を有し、前記屈曲部が前記端子保持部である。このことから、屈曲部により救援端子を抱え込むようにして確実に保持することができ、クリップを脱着する際などに外力が加わった場合に救援端子が倒れてしまうことをより確実に防止することができる。
【００１３】
請求項３に記載した発明によれば、前記突出部が前記救援端子を挿通可能な挿通孔を有し、前記挿通孔が前記端子保持部である。このことから、救援端子を挿通孔に挿通させて確実に保持することができ、クリップを脱着する際などに外力が加わった場合に救援端子が倒れてしまうことをより確実に防止することができる。
【図面の簡単な説明】
【００１４】
【図１】本発明の第１の実施形態にかかる電気接続箱を示す斜視図である。
【図２】図１に示された電気接続箱において、救援端子がブースターケーブルのクリップに狭持された状態を示す斜視図である。
【図３】図２に示された電気接続箱の要部拡大図である。
【図４】本発明の第２の実施形態における救援端子及び端子支持部を示す斜視図である。
【図５】図４において、救援端子が外された状態を示す図である。
【図６】図４の矢視Ａ−Ａ線断面において、クリップが取り付けられた状態を示す図である。
【発明を実施するための形態】
【００１５】
（第１の実施形態）
本発明の第１の実施形態にかかる「電気接続箱」を、図１〜３を参照して説明する。電気接続箱１は、図１，２に示すように、自動車のエンジンルーム内に設置される自動車用電気接続箱として用いられ、自動車のバッテリが上がった際に、ブースターケーブルＢのクリップＣに狭持されて、不図示の救援車のバッテリと電気的に接続される救援端子４を備えるものである。この電気接続箱１は、合成樹脂製のフレーム２と、フレーム２に組み付けられる合成樹脂製のブロック３と、このブロック３の上面から立設した救援端子４と、ブロック３と一体に形成されて、救援端子４に重ねられる端子支持部５と、ブースターケーブルＢを接続しないときに救援端子４及び端子支持部５を覆う端子カバー６と、を備えて構成されている。なお、本実施形態における上下は、図１における紙面方向の上下を基準とし、左右は、図３における紙面方向の左右を基準とする。
【００１６】
ブロック３は、リレー、ヒューズ、端子付き電線等の電子部品（不図示）が取り付けられて、フレーム２のブロック装着部２１に組み付けられる。また、ブロック３には、後述する端子カバー６のヒンジ６２を回転自在に取り付けるヒンジ受け部３１が形成されている。
【００１７】
救援端子４は、図３に示すように、金属板により板状に形成されている。また、救援端子４は、ブロック３の下方から挿入され、上端が後述する端子支持部５の端子保持部（屈曲部５１ａ）に保持されて取り付けられる。
【００１８】
端子支持部５は、図３に示すように、ブロック３の上面から柱状に立設されている。端子支持部５は、救援端子４と左右方向に重ねられる。端子支持部５の上端には、救援端子４と重ねられる面（図３における右側面）から、救援端子４の厚み方向（図３における右方向）に、救援端子４を超えて突出した突出部５１が形成されている。
【００１９】
突出部５１は、突出した先端において、救援端子４側（救援端子４に沿って下方）に屈曲した屈曲部５１ａが形成されている。屈曲部５１ａは、救援端子４の上端部を抱え込むようにして救援端子４を保持する。この屈曲部５１ａは、請求項の「端子保持部」に相当する。また、突出部５１は、救援端子４及び端子支持部５がブースターケーブルＢのクリップＣに狭持されたときには、クリップＣに引っ掛かる。
【００２０】
端子カバー６は、図１に示すように、救援端子４及び端子支持部５を覆う本体部６１と、ブロック３のヒンジ受け部３１に取り付けられるヒンジ６２と、を有して形成されている。
【００２１】
次に、救援端子４の使用方法について説明する。まず、ヒンジ６２を中心として端子カバー６を回動させ、救援端子４を露出させる。そして、図２に示すように、クリップＣで救援端子４及び端子支持部５を狭持する。このとき、図３に示すように、クリップＣの先端が端子支持部５の突出部５１に引っ掛かる。
【００２２】
本実施形態の電気接続箱１によれば、端子支持部５に突出部５１が設けられ、ブースターケーブルＢのクリップＣに救援端子４及び端子支持部５が狭持された際、クリップＣが突出部５１に引っ掛かることから、部品点数を増やしたり、複雑な構造にすることなく、簡易な構造により、ブースターケーブルＢのクリップＣを救援端子４から外れ難くする又はクリップＣを倒れ難くすることができる。また、救援端子４が屈曲部５１ａに保持されていることから、クリップＣを脱着する際などに救援端子４に予期せぬ外力が加わって、救援端子４が倒れてしまうことを防止できる。
【００２３】
（第２の実施形態）
本発明の第２の実施形態にかかる「電気接続箱」を図４〜６を参照して説明する。また、前述した第１の実施形態と同一構成部分は同一符号を付して説明を省略する。本実施形態の電気接続箱は、第１の実施形態にかかる電気接続箱１（図１〜３参照）において端子支持部５を図４に示す端子支持部２０５に置き換えたものである。
【００２４】
端子支持部２０５は、ブロック３（図３参照）の上面から柱状に立設されている。端子支持部２０５は、救援端子４と図４に示す矢印Ｘ方向に重ねられる。端子支持部２０５には、端子支持部２０５の上端に設けられた突出部２５１と、突出部２５１から下方に延設された一対の突出壁２５２と、が形成されている。
【００２５】
突出部２５１は、図５に示すように、救援端子４と重ねられる面２５３から、救援端子４の厚み方向（図４における矢印Ｘ方向）に、救援端子４を超えて突出している。また、突出部２５１の上端には、救援端子４を挿通可能な挿通孔２５１ａが設けられている。一対の突出壁２５２は、挿通孔２５１ａに挿通された救援端子４の幅方向（図４，５における矢印Ｙ方向）両端に沿って、下方に延びている。救援端子４は、挿通孔２５１ａに挿通されることにより、ほぼ位置決めされているが、これら一対の突出壁２５２が設けられていることにより、幅方向（矢印Ｙ方向）においてより確実に位置決めすることができる。また、救援端子４と一対の突出壁２５２との間には段差があることから、クリップＣが矢印Ｙ方向に倒れにくく、救援端子４からより外れ難くなる。
【００２６】
本実施形態において、図４，６に示すように、救援端子４は、挿通孔２５１ａに挿通されることにより保持される。この挿通孔２５１ａは、請求項の「端子保持部」に相当する。また、図６に示すように、突出部２５１は、救援端子４及び端子支持部５がブースターケーブルＢのクリップＣに狭持されたときには、クリップＣに引っ掛かる。
【００２７】
本実施形態の電気接続箱によれば、突出部２５１には、救援端子４を挿通可能な挿通孔２５１ａが設けられ、救援端子４は挿通孔２５１ａに挿通されることにより保持される。このことから、救援端子４を確実に保持することができ、クリップＣを脱着する際などに救援端子４に予期せぬ外力が加わって、救援端子４が倒れてしまうことをより確実に防止することができる。
【００２８】
本実施形態の電気接続箱においては、突出部２５１が端子支持部２０５の上端に設けられていたが、救援端子４が挿通孔２５１ａに挿通されることにより保持され、かつ、クリップＣが救援端子４を狭持する際に突出部２５１に引っ掛かればよく、上下における突出部２５１の位置は適宜変更することができる。
【００２９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び目的の範囲から逸脱することなく、以上述べた実施形態に対し、形状、材質、数量、その他の詳細な構成において、当業者が様々な変形を加えることができるものである。
【００３０】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３１】
１        電気接続箱
４        救援端子
５        端子支持部
６        端子カバー
５１      突出部
５１ａ    屈曲部（端子保持部）
２０５    端子支持部
２５１    突出部
２５１ａ  挿通孔（端子保持部）
Ｂ      ブースターケーブル
Ｃ      クリップ
【図１】
2015177668.tif 000003
【図２】
2015177668.tif 000004
【図３】
2015177668.tif 000005
【図４】
2015177668.tif 000006
【図５】
2015177668.tif 000007
【図６】
2015177668.tif 000008